(57)【要約】  【課題】可視光線領域内の波長を発光する発光ダイオードを冷蔵庫等の庫内照明として使用する場合に、発光ダイオードの指向性による冷蔵庫内の上下位置収納物の視認性低下を防止する。  【解決手段】照明装置１４０は、発光ダイオード１４２を複数個実装した実装基板１４１と実装基板１４１を支持する支持部材１４３と透明樹脂製のカバー１５０により構成し、支持部材１４３は、略台形とし実装基板１４１を支持した辺より、他の辺の長さを長くし、冷蔵室の内箱両側壁面の棚１０２ａの前端部と扉内板１１７の先端部の間に、実装基板１４１を支持した辺を手前になるように配設し、扉１０８が開いた時照明装置１４０を動作させるもので、棚１０２ａのほぼ全面に渡って照射範囲としてカバーでき、かつ冷蔵室１０２内の保存物の上下位置関係による影の発生をも抑制することができ、収納物の視認性を向上することができる。【選択図】図３
2008070079.tif 000002
【特許請求の範囲】
【請求項１】
断熱壁で形成した貯蔵室と、前記貯蔵室の前面を開閉し前記貯蔵室側に突出する扉棚を有する扉と、前記冷蔵室内の上下方向に配置した棚と、前記貯蔵室内を照射する照明装置とを備え、前記照明装置は、可視光線領域内の波長を発光する発光ダイオードを実装した実装基板と前記実装基板を支持する支持部材と透光性のカバーとにより構成し、前記照明装置は、前記棚の前端部と前記扉棚の側面を囲う扉内板の先端部との間の前記貯蔵室の内箱両側壁面に設けて、前記貯蔵室内の両側面から照射される前記発光ダイオードの照射中心線が前記棚上で交わるように前記実装基板を前記支持部材に傾けて配置したことを特徴とする冷蔵庫。
【請求項２】
断熱壁で形成した冷蔵庫本体と、前記冷蔵庫本体の上部に設けた冷蔵室と、前記冷蔵室内を照射する照明装置と、前記冷蔵室の扉は回転式扉であり、前記照明装置は、可視光線領域内の波長を発光する発光ダイオードを複数個実装した実装基板と前記基板を支持する支持部材と透明樹脂製のカバーにより構成し、前記照明装置の支持部材は、略台形とし実装基板を支持した辺より、他の辺の長さを長くし、前記支持部材の周りに段部を設け、前記冷蔵室の内箱両側壁面の前記棚の前端部と扉の内箱先端部の間に設けた、前記支持部材の段部と相対する段部に、前記支持部材を断熱壁内側より、前記実装基板を支持した辺を手前になるように配設し、前記扉が開いた時前記照明装置を動作させることを特徴とする冷蔵庫。
【請求項３】
前記冷蔵室の扉は観音開き式扉としたことを特徴とする請求項１または２に記載の冷蔵庫。
【請求項４】
前記照明装置の照明手段である発光ダイオードの照射方向は、前記棚の中心に向かって照射することを特徴とした請求項１から３のいずれか一項に記載の冷蔵庫。
【請求項５】
前記扉の少なくとも１枚が開いた時、両側壁面に配置している前記照明装置を動作させることを特徴とした請求項３または４に記載の冷蔵庫。
【請求項６】
前記扉が開いた時、開いた扉側の照明装置のみを動作させることを特徴とした請求項３または４に記載の冷蔵庫。
【請求項７】
前記扉が開いた時、閉じている扉側の照明装置のみを動作させることを特徴とした請求項３または４に記載の冷蔵庫。
【請求項８】
冷蔵室側面の前記照明装置が配設した断熱壁中には真空断熱材を配設したことを特徴とした請求項１から７のいずれか一項に記載の冷蔵庫。
【請求項９】
前記断熱壁を形成する内箱と、前記透明樹脂製のカバーは、同一平面となることを特徴とした請求項１から８のいずれか一項に記載の冷蔵庫。
【請求項１０】
前記実装基板の下部にコネクタを配置し、コネクタ接続方向は下から上とすることを特徴とした請求項１から９のいずれか一項に記載の冷蔵庫。
【発明の詳細な説明】
【技術分野】
【０００１】
本発明は、照明装置を庫内に設置した冷蔵庫に関するものである。
【背景技術】
【０００２】
近年、冷蔵庫内照明装置として、従来の白熱灯や電球に変わり、発熱性が低い、赤外波長がでない、低電圧駆動できる等の理由で半導体発行素子を用いるものが提案されている。
【０００３】
従来の発光ダイオードを照明装置として利用した冷蔵庫としては、複数の発光ダイオードを正方形に配置し、庫内天面に設置して庫内照射しているものがある（例えば、特許文献１参照）。
【０００４】
図９は特許文献１に記載された従来の製氷機の照明装置の斜視図であり、図１０は図９の照明装置を製氷機の庫内天面に設置した概念図を示すものである。
【０００５】
図９の照明装置３０において、実装基板１は平板状で、一面または両面に回路パターン（図示せず）が形成され、熱伝導性の良好なエポキシ樹脂系の基板や絶縁金属基板を使用する。白色ＬＥＤ２は砲弾状に形成され、ＧａＮ系の青色ＬＥＤからの青色光を用いて蛍光材を励起して白色光を得る構造で、電流を通電する２本の通電端子３が導出される。
【０００６】
断熱板４は、ウレタン等の樹脂により平板状に形成され、複数の挿通孔が並設されて、実装基板１と発光ダイオード２との間に設けられる。ここで、発光ダイオード２は通電端子３が断熱板４の挿通孔に挿通され、実装基板１の回路パターンに半田付けされて実装され、複数個が実装基板１に並設される。尚、発光ダイオード２の発熱量が少ない場合には、断熱板４は廃止しても構わない。
【０００７】
図１０において、照明装置３０は、製氷機３１の庫内の天面３２に配置されている。
【０００８】
以上のように構成された発光ダイオードを照明装置として利用した冷蔵庫について、以下その動作を説明する。
【０００９】
まず、冷蔵庫の扉が閉まっている時には、発光ダイオード２への通電は行なわず、庫内は照射されていない。扉が開けられると、機械式スイッチやホールＩＣ等の電子式スイッチで開扉状態と判断され、発光ダイオード２に順方向電流が流れて、白色光が発光されて庫内が照射される。
【特許文献１】特開２００１−８２８６９号公報
【発明の開示】
【発明が解決しようとする課題】
【００１０】
しかしながら、上記従来の構成では、照明装置が冷蔵庫の庫内天井面に配置されると、冷蔵庫内に庫内を分割する収納棚がある場合、収納棚の下側の保存物の視認性は、収納棚そのものや収納棚上に置かれた保存物により影が発生することにより悪化する。これは、一般家庭用冷蔵庫のように、複数の収納棚を有する場合においては、収納棚が下段になるほど顕著となる。
【００１１】
本発明は、上記従来の課題を解決するもので、冷蔵庫内の保存物の上下位置関係に関わらず、保存物の視認性を向上させることを目的とした照明装置を有する冷蔵庫を提供することを目的とする。
【課題を解決するための手段】
【００１２】
上記従来の課題を解決するために、本発明の冷蔵庫は、断熱壁で形成した貯蔵室と、前記貯蔵室の前面を開閉し前記貯蔵室側に突出する扉棚を有する扉と、前記冷蔵室内の上下方向に配置した棚と、前記貯蔵室内を照射する照明装置とを備え、前記照明装置は、可視光線領域内の波長を発光する発光ダイオードを実装した実装基板と前記実装基板を支持する支持部材と透光性のカバーとにより構成し、前記照明装置は、前記棚の前端部と前記扉棚の側面を囲う扉内板の先端部との間の前記貯蔵室の内箱両側壁面に設けて、前記貯蔵室内の両側面から照射される前記発光ダイオードの照射中心線が前記棚上で交わるように前記実装基板を前記支持部材に傾けて配置したものである。
【００１３】
また、冷蔵室内を照射する照明装置と、前記冷蔵室内の上下方向に配置した複数の棚とを備え、前記冷蔵室の扉は回転式扉であり、前記照明装置は、可視光線領域内の波長を発光する発光ダイオードを複数個実装した実装基板と前記基板を支持する支持部材と透明樹脂製のカバーにより構成し、前記照明装置の支持部材は、略台形とし実装基板を支持した辺より、他の辺の長さを長くし、前記支持部材の周りに段部を設け、前記冷蔵室の内箱両側壁面の前記棚の前端部と扉の内箱先端部の間に設けた、前記支持部材の段部と相対する段部に、前記支持部材を断熱壁内側より、前記実装基板を支持した辺を手前になるように配設し、前記扉が開いた時前記照明装置を動作させるものである。
【００１４】
これによって、冷蔵庫内の照明として、棚上の収納物の前側面から棚のほぼ全面に渡ってカバーするように照射でき、天井面に照明装置を配設した場合と比較して、保存物の上下位置による影の発生を抑制することができるので、庫内の下部においても保存物の視認性を向上することができる。
【発明の効果】
【００１５】
本発明の冷蔵庫は、照明装置を冷蔵庫庫内の側壁面に配設することにより、天井面に照明装置を配設した場合と比較して、保存物の上下位置による影の影響を受けず、庫内の下部においても保存物の視認性を向上することができ、使い勝手の向上を図ることができる。
【発明を実施するための最良の形態】
【００１６】
請求項１に記載の発明は、断熱壁で形成した貯蔵室と、前記貯蔵室の前面を開閉し前記貯蔵室側に突出する扉棚を有する扉と、前記冷蔵室内の上下方向に配置した棚と、前記貯蔵室内を照射する照明装置とを備え、前記照明装置は、可視光線領域内の波長を発光する発光ダイオードを実装した実装基板と前記実装基板を支持する支持部材と透光性のカバーとにより構成し、前記照明装置は、前記棚の前端部と前記扉棚の側面を囲う扉内板の先端部との間の前記貯蔵室の内箱両側壁面に設けて、前記貯蔵室内の両側面から照射される前記発光ダイオードの照射中心線が前記棚上で交わるように前記実装基板を前記支持部材に傾けて配置したものであり、冷蔵庫内の照明として、棚上の収納物の前側面から棚のほぼ全面に渡ってカバーするように照射でき、天井面に照明装置を配設した場合と比較して、保存物の上下位置による影の発生を抑制することができるので、庫内の下部においても保存物の視認性を向上することができる。
【００１７】
請求項２に記載の発明は、断熱壁で形成した冷蔵庫本体と、前記冷蔵庫本体の上部に設けた冷蔵室と、前記冷蔵室内を照射する照明装置と、前記冷蔵室内の上下方向に配置した複数の棚とを備え、前記冷蔵室の扉は回転式扉であり、前記照明装置は、可視光線領域内の波長を発光する発光ダイオードを複数個実装した実装基板と前記基板を支持する支持部材と透明樹脂製のカバーにより構成し、前記照明装置の支持部材は、略台形とし実装基板を支持した辺より、他の辺の長さを長くし、前記支持部材の周りに段部を設け、前記冷蔵室の内箱両側壁面の前記棚の前端部と扉の内箱先端部の間に設けた、前記支持部材の段部と相対する段部に、前記支持部材を断熱壁内側より、前記実装基板を支持した辺を手前になるように配設し、前記扉が開いた時前記照明装置を動作させるものであり、冷蔵庫内の保存物を側面から照射でき、保存物の上下位置による影の発生を抑制することができるので、庫内の下部においても保存物の視認性を向上することができる。
【００１８】
また、基板を支持する支持部材を略台形とすることで、支持部材の高さ寸法を極力抑えることができ、必要断熱壁を確保し支持部材部の結露を防止できる。さらに、実装基板を設置した辺より、他の辺の長さを長くすることで、庫内に支持部材の影が映らなく保存物の視認性を向上することができる。
【００１９】
請求項３に記載の発明は、請求項１または２に記載の発明において、前記冷蔵室の扉は観音開き式扉としたものであり、保存物の取り入れ出しに扉の開放を最小限に抑えることができ、省エネの向上が図れる。また、扉の開閉負担が半減近くまで軽減され、かつ、扉開放に伴う前方スペースの確保が小さくて済み、大容量化されても冷蔵庫の実質占有スペースをコンパクトに抑えることができる。
【００２０】
請求項４に記載の発明は、請求項１から３のいずれか一項に記載の発明において、前記照明装置の照明手段である発光ダイオードの照射方向は、前記棚の中心に向かって照射するものであり、庫内全体を均一に照らすことができ、保存物の視認性を更に向上することができる。
【００２１】
請求項５に記載の発明は、請求項３または４に記載の発明において、前記扉の少なくとも１枚が開いた時、両側壁面に配置している前記照明装置を動作させるものであり、両側壁面から照射することで庫内全体を均一に照らすことができ、保存物の視認性を更に向上することができる。
【００２２】
請求項６に記載の発明は、請求項３または４に記載の発明において、前記扉が開いた時、開いた扉側の照明装置のみを動作させるので、照明装置の消費電力が半減でき省エネが図れる。
【００２３】
請求項７に記載の発明は、請求項３または４に記載の発明において、前記扉が開いた時、閉じている扉側の照明装置のみを動作させるので、照明装置の消費電力が半減でき省エネが図れる。
【００２４】
請求項８に記載の発明は、請求項１から７のいずれか一項に記載の発明において、冷蔵室側面の前記照明装置が配設した断熱壁中には真空断熱材を配設したものであり、冷蔵室側壁の断熱壁厚をできる限り少なくでき、冷蔵室の大容量化が図れる。
【００２５】
請求項９に記載の発明は、請求項１から８のいずれか一項に記載の発明において、前記断熱壁を形成する内箱と、前記透明樹脂製のカバーは、同一平面となるものであり、お客様が棚を位置変えや、清掃時に棚の移動が容易にできる。
【００２６】
請求項１０に記載の発明は、請求項１から９のいずれか一項に記載の発明において、前記実装基板の下部にコネクタを配置し、コネクタ接続方向は下から上とするものであり、前記照明装置の高さを低くすることができ、冷蔵室側壁の断熱壁厚をさらに少なくでき、冷蔵室の大容量化が図れる。また、コネクタ接続方向は下から上とすることで万一照明装置内に水が浸入したり、基板が結露した場合にも、コネクタに水が溜まることがなく、接触不良等の故障の原因がない仕様となる。
【００２７】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２８】
（実施の形態１）
図１は本発明の実施の形態１における冷蔵室の回転式扉が片開き式の正面図を示すものである。図２は本発明の実施の形態１における冷蔵室扉の回転式扉が観音開き式の正面図を示すものである。図３は本発明の実施の形態１における冷蔵室扉の回転式扉が観音開き式の冷蔵庫の扉を開放した斜視図を示すものである。図４は本発明の実施の形態１における冷蔵室の縦断面図を示すものである。図５は本発明の実施の形態１における照明装置の要部平面断面図である。図６は本発明の実施の形態１における照明装置の奥側から見た要部縦断面図である。図７は本発明の実施の形態１における発光ダイオードの指向特性図である。図８は本発明の実施の形態１における照明装置の照射状態を示す冷蔵室の平面断面図である。
【００２９】
冷蔵庫の断熱箱体１０１は複数の断熱区画に区分されており最上部断熱区画の扉を回転式、それ以外の断熱区画の扉を引き出し式とする構成をとってある。すなわち、最上部から回転式扉を有する冷蔵室１０２、その下部に、左右方向に並べて設けた引き出し式の扉を有する製氷室１０３および特定冷却室１０４、その下部に引き出し式の扉を有する野菜室１０５、さらに、その下部に引き出し式の冷凍室１０６を配置している。そして、冷蔵室１０２の回転式の扉構成においては、図１に示す１枚扉の片開き式扉１０７と図２に示す２枚扉の観音開き式扉１０８とがある。
【００３０】
以下、観音開き式扉の冷蔵庫について説明する。扉は、上から冷蔵室の観音開き式扉１０８、製氷室の引き出し式扉１０９、特定冷却室の引き出し式扉１１０、野菜室の引き出し式扉１１１、冷凍室の引き出し式扉１１２である。
【００３１】
冷蔵室の回転式扉１０８には複数の収納ポケット１０８ａが扉内箱内板を設置し収納スペースとして設けられており、室内には上下に複数の棚１０２ａが設けられて、最下段には引き出し式の貯蔵ケース１１４と、卵収納容器１１５と、製氷用の水を貯水する給水タンク１１６が設けてある。
【００３２】
可視光線領域内の波長を発光する発光ダイオードを備えた照明装置１４０は、冷蔵室１０２庫内の前面から見て、棚１０２ａの先端部より前方で扉内板１１７の先端部より後方である区間Ｄの間に位置する左側壁面と右側壁面にそれぞれ棚１０２ａに跨って縦方向に配設されている。
【００３３】
冷蔵室１０２は、冷蔵保存のために凍らない温度を下限に冷蔵温度帯に設定されており、通常１〜５℃で設定されている。また、最下段の収納スペース１１３ｅのうち、貯蔵ケース１１４は、同様に冷蔵温度帯として、日常状頻度の高い小物を収容して使うユーティリティケースとしてもよいし、肉類、魚介類などの保鮮性向上のため冷蔵温度よりもやや低めの温度、たとえば−３〜１℃の範囲としてもよい。一方、卵収納容器１１５や給水タンク１１６は、卵や水の凍結を避ける必要があるために冷蔵温度帯に維持される。
【００３４】
製氷室１０３は独立した扉を有する氷貯蔵室であり、給水タンク１１６より供給される水を凍らせて、製氷し、離氷する自動製氷装置（図示せず）を室内上部に備えて、氷を自動的に生成、貯蔵するものである。氷を貯蔵するために冷凍温度帯であるが、氷の昇華や氷同士のくっつきを促進しない程度なら、通常の冷凍温度帯よりも比較的高い冷凍温度設定も可能である。
【００３５】
特定冷却室１０４は、温度的に冷凍温度帯，冷蔵温度帯，冷凍と冷蔵の中間温度帯のいずれに設定してもよく、冷凍と冷蔵の中間温度帯としてはチルド（例えば−１〜１℃）やパーシャルフリージング（例えば−３℃〜−１℃）等の温度帯のほか、例えば−１２〜−６℃の冷凍ではあるが短期貯蔵向きに温度を高めた弱冷凍の温度帯をも含めることができる。また、高湿状態や乾燥状態、解凍、急冷、調理等の特定の機能を有する室とすることも可能であり、多機能でマルチユースの利便性の高い室として利用できる。
【００３６】
代表的な例としては、使用者の設定により温度帯設定を切り替え可能とした温度切替室であり、冷凍温度帯，冷蔵温度帯，冷凍と冷蔵の中間温度帯に設定できる。冷凍と冷蔵の中間温度帯としてはチルド（例えば−１〜１℃）やパーシャルフリージング（例えば−３℃〜−１℃）等の温度帯のほか、例えば−１２〜−６℃の冷凍ではあるが短期貯蔵向きに温度を高めた弱冷凍の温度帯をも含めて、温度帯の切り替えを用途に応じて任意に切り替えることができる。
【００３７】
野菜室１０５は、冷蔵室１０２と同等もしくは若干高い温度設定の２℃〜７℃とすることが多い。低温にするほど葉野菜等の蒸散や呼吸作用を抑えて、鮮度を長期間維持することが可能である。
【００３８】
冷凍室１０６は、冷凍保存のために冷凍温度帯に設定されており、通常−２２〜−１８℃で設定されているが、冷凍保存状態の向上のために、たとえば−３０や−２５℃の低温で設定されることもある。
【００３９】
次に、照明装置１４０について詳細に説明する。
【００４０】
実装基板１４１は平板状の縦長形状で、一面または両面に回路パターン（図示せず）が形成され、熱伝導性の良好なエポキシ樹脂系の基板や絶縁金属基板を使用される。発光ダイオード１４２は砲弾状に形成され、ＧａＮ系の青色ＬＥＤからの青色光を用いて蛍光材を励起して白色光を得る構造である。ここで、発光ダイオード１４２は実装基板１４１の回路パターンに半田付けされて実装され、縦方向に複数個が実装基板１４１に並設される。
【００４１】
縦方向に複数個の発光ダイオードが実装された実装基板１４１は、支持部材１４３のスペーサー１４４と爪１４５によって保持されている。支持部材１４３は、実装基板１４１を保持している辺より、他の辺が長い略台形であり、支持部材１４３の周りに設けた段部１４６と、冷蔵室の内箱１４７の両側壁面の支持部材１４３の段部１４６と相対するべく設けた段部１４８に実装基板１４１を支持した辺が手前になるべく断熱壁内側より組み込み発泡断熱材１３０より固定されている。これにより、各段部１４６、１４８により支持部材１４３の位置決めが容易であり、製造において支持部材を容易に組み込むことができる。尚、支持部材１４３を冷蔵室内箱１４７に組み込む際、発泡断熱材１３０注入時の発泡断熱材１３０の漏れ防止として周囲をテープで仮止めするとなお確実に組み込むことができる。
【００４２】
また、実装基板１４１の下部にコネクタ１６０を、コネクタ接続方向は下から上となるように配設し、ハーネス１６１を実装基板１４１下部のから支持部材１４３内に出し、下方向からコネクタ１６０に接続している。これにより、コネクタ１６０の基板上からの高さを極力抑えることができ、照明装置１４０をコンパクトにできる。また、コネクタ１６０接続方向は下から上とすることで万一照明装置１４０内に水が浸入したり、基板が結露した場合にも、コネクタに水が溜まることがなく、接触不良等の故障の原因がない仕様である。
【００４３】
また、冷蔵室１０２の両側壁中には発泡断熱材１３０と複合的に真空断熱材１３１が配設されている。
【００４４】
真空断熱材１３１は、外箱１２６側に接着部材（図示せず）を用いて密着貼付けされている。また、真空断熱材１３１は断熱箱体１０１の璧厚内に配設するために薄い平面形状のものが必要となる。さらに、ホットメルトなどの接着部材は接着部に空気が混入しないように真空断熱材１３１の貼付け面に全面塗布されている。真空断熱材１３１は発泡断熱材１３０と一体に発泡されて断熱箱体１０１を構成しており、発泡断熱材１３０と比べて５倍〜２０倍の断熱性能を有している。
【００４５】
これにより、冷蔵室側壁の断熱壁厚をできる限り少なくでき、冷蔵室の大容量化が図れる。
【００４６】
なお、真空断熱材１３１を、第１，第２，第３の区画壁１２７，１２８，１２９及び背面内に必要に応じて挿入してもよい。
【００４７】
また、真空断熱材１３１芯材には、無機材料としてのガラス繊維やパーライト，シリカ等の比重の大きい材料を用いる。発泡断熱材１３０（硬質発泡ウレタン）の密度が２０〜５０ｋｇ／ｍ３であるのに対して真空断熱材１３１の密度は２００〜２５０ｋｇ／ｍ３と少なくとも４倍以上とすることができる。
【００４８】
ランプカバー１５０は、エポキシ、アクリル、ポリカーボネート、ポリエチレン、ポリスチレン、ポリプロピレンなどの透明樹脂のうち、一つの材料もしくは複合材料をベース材として形成されており、発光ダイオード１４２の発光部全体を覆うように支持部材１４３の周囲のリブ１５１に、冷蔵室の内箱１４７と同一平面になるように固定されている。
【００４９】
図７は、発光ダイオード１４２の光の照射方向に関する指向性を示したグラフである。照射方向を垂直方向とすると照射される範囲は線内であり、たとえば照射量１／２では照射角は、Ｅの如く左右各３０°である。
【００５０】
図８において、実装基板１４１上の発光ダイオード１４２は、冷蔵室１０２の棚１０２ａの中心に向かって照射するようにスペーサー１４４と爪１４５によって保持され、庫内を満遍なく照射できるようしている。尚冷蔵庫庫内を満遍なく照射する発光ダイオード１４２の照射方向は、冷蔵庫の奥行き寸法と幅寸法により微妙に変わることから、発光ダイオード１４２からの照射量が１／２である６０°の角度を持った扇型の照射範囲（照射範囲Ｌ、Ｒ）が、棚１０２ａの最も離れた前端部に照射できるように、実装基板１４１の保持角度を決定するほうが良い。
【００５１】
以上のように構成された冷蔵庫について、以下その動作、作用を説明する。
【００５２】
回転式扉は観音開き式の両開き扉１０８とすることによって、冷蔵室１０２の大容量化に対しても、扉１０８の開閉負担が半減近くまで軽減され、かつ、扉１０８開放に伴う前方スペースの確保が小さくて済み、大容量化されても冷蔵庫の実質占有スペースをコンパクトに抑えることができる。
【００５３】
冷蔵庫の扉１０８が閉まっている時には、発光ダイオード１４２への通電は行なわず、庫内は照射されていない。２枚の扉１０８のどちらか一方の扉１０８が開けられると、冷蔵室左右の両側壁面に配設している照明装置１４０内の発光ダイオード１４２に順方向電流が流れて、白色光が発光される。
【００５４】
照明装置１４０は、棚１０２ａの前端部と扉の収納ポケット（扉棚）１０８ａの側面を囲う扉内板１１７の先端部との間の冷蔵室の内箱１４７の両側壁面に設けられているので、発光ダイオード１４２から発光された白色光は、ランプカバー１５０に進光して、冷蔵室内１０２内の前側面から斜め後方に向かって照射されるが、発光ダイオード１４２の照射中心線が棚１０２ａ上で交わるように実装基板１４１を支持部材１４３に傾けて配置したので、両側面からの照射中心線を中心とした所定の角度幅をもった照射範囲が棚１０２ａ上の大部分をカバーすることになり、収納物の前側面から棚１０２ａの全平面に渡ってむらが少ない状態で照射でき、天井面に照明装置を配設した場合と比較して、保存物の上下位置による影の発生を抑制することができるので、庫内の下部においても保存物の視認性を向上することができる。
【００５５】
さらに、棚１０２ａの中心に向かって照射することで、庫内全体を均一に、特に保存物の前面及び側面が強調され配光されることとなる。これにより、保存物の上下位置関係による影の発生を抑制し、保存物の視認性を向上することができる。
【００５６】
また、実装基板１４１を冷蔵庫庫内に対して縦方向に棚１０２ａに跨って配設することにより、一層効果を高めることができる。
【００５７】
また、ランプカバー１５０に光拡散性を持つ材料を含有することにより、指向性のある発光ダイオードの発光をランプカバー１５０で拡散させて庫内を照射させるので、食品等の保存物に均一な白色光が当たり視覚的な照射ムラがなくせ、更に照明の演出性を高めることができる。
【００５８】
また、ランプカバー１５０を、エポキシ、アクリル、ポリカーボネート、ポリエチレン、ポリスチレン、ポリプロピレンなどの透明樹脂のうち、一つの材料もしくは複合材料をベース材として形成することにより、ランプカバー１５０を自由な形状に成型加工できるので、容易な取り付け設計が可能になり、庫内の最適な任意の位置に照明装置が設置できる。
【００５９】
また、断熱壁１３０を形成する内箱１４７とランプカバー１５０は、同一平面となっているので、お客様が棚を位置変えや、清掃時に棚の移動が容易にでき、また庫内に突出していないので見栄え上も良い。
【００６０】
また、支持部材１４３は、実装基板１４１を保持している辺より、他の辺が長い略台形であり、支持部材１４３の高さ寸法を極力抑えることができ、必要断熱壁を確保し支持部材部１４３の結露を防止できる。さらに、実装基板１４１を保持していない辺を長く取ることで庫内に支持部材の影が映らなく保存物の視認性をさらに向上することができる。
【００６１】
（実施の形態２）
図８で、本発明の実施の形態２を説明する。
【００６２】
尚、前記実施の形態１と同様の構成については詳細な説明は省略する。
【００６３】
冷蔵室扉１０８の２枚の扉に内、どちらか１枚の扉のみを開いた場合、開いた扉側の照明装置１４０のみを動作させる。例えば、左の扉１０８のみを開いた場合は、照明装置１４０の照射範囲はＬのみであり、右の扉のみを開いた場合は、照明装置の照射範囲はＲのみとなる。
【００６４】
お客様が、片側のみの扉を開いて取り出す保存物は、棚１０２ａの前方部側に置かれている場合が多く、その点からも近傍の照明装置のみを動作させるだけで十分な照度を得ることができ、消費電力としては半減できる。
【００６５】
尚、両方の扉を開いた時は、両側面の照明装置が動作し、庫内全体を均一に照明することは、言うまでもない。
【００６６】
（実施の形態３）
図８で、本発明の実施の形態３を説明する。
【００６７】
尚、前記実施の形態１と同様の構成については詳細な説明は省略する。
【００６８】
冷蔵室扉１０８の２枚の扉に内、どちらか１枚の扉のみを開いた場合、閉じている扉側の照明装置１４０のみを動作させる。例えば、左の扉１０８のみを開いた場合は、照明装置１４０の照射範囲はＲのみであり、右の扉のみを開いた場合は、照明装置の照射範囲はＬのみとなる。
【００６９】
冷蔵庫の奥行き寸法及び幅寸法によっては、閉じている扉側の遠い照明装置のみを動作させた方が、片側のみの扉を開いて見える庫内全体を照明するのに効率が良い場合があり、この場合でも、消費電力としては半減できる。
【００７０】
尚、両方の扉を開いた時は、両側面の照明装置が動作し、庫内全体を均一に照明することは、言うまでもない。
【産業上の利用可能性】
【００７１】
以上のように、本発明にかかる冷蔵庫は、家庭用又は業務用冷蔵庫に発光ダイオードの照明を適用する場合に実施することはもちろん、扉のある物品貯蔵装置など発光ダイオード照明を適用する幅広い設備機器に応用できるものである。
【図面の簡単な説明】
【００７２】
【図１】本発明の実施の形態１における冷蔵室の回転式扉が片開き式の冷蔵庫の正面図
【図２】本発明の実施の形態１における冷蔵室扉の回転式扉が観音開き式の正面図
【図３】本発明の実施の形態１における冷蔵室扉の回転式扉が観音開き式の冷蔵庫の扉を開放した斜視図
【図４】本発明の実施の形態１における冷蔵室の縦断面図
【図５】本発明の実施の形態１における照明装置の要部平面断面図
【図６】本発明の実施の形態１における照明装置の奥側から見た要部縦断面図
【図７】本発明の実施の形態１における発光ダイオードの指向特性図
【図８】本発明の実施の形態１、実施の形態２、実施の形態３における照明装置の照射状態を示す冷蔵室の平面断面図
【図９】従来の照明装置の斜視図
【図１０】従来の照明装置を庫内天面に設置した冷蔵庫の斜視図
【符号の説明】
【００７３】
１０１  断熱箱体
１０２  冷蔵室
１０２ａ  棚
１０７  冷蔵室の片開き式扉
１０８  冷蔵室の観音開き式扉
１１７  扉内板
１３１  真空断熱材
１４０  照明装置
１４１  実装基板
１４２  発光ダイオード
１４３  支持部材
１４６  段部
１４８  段部
１５０  ランプカバー
１６０  コネクタ
【図１】
2008070079.tif 000003
【図２】
2008070079.tif 000004
【図３】
2008070079.tif 000005
【図４】
2008070079.tif 000006
【図５】
2008070079.tif 000007
【図６】
2008070079.tif 000008
【図７】
2008070079.tif 000009
【図８】
2008070079.tif 000010
【図９】
2008070079.tif 000011
【図１０】
2008070079.tif 000012